(57)【特許請求の範囲】
【請求項１】
第１撮像装置と、
第２撮像装置と、
前記第１撮像装置と前記第２撮像装置を接続し、前記第１撮像装置で連続的に撮像されるフレームと前記第２撮像装置で連続的に撮像されるフレームを同期するための同期信号と、タイムコードを合わせるためのタイムコード信号と、撮影パラメータを含むデータ信号と、を少なくとも含む複数種類の信号を伝送する１本のケーブルと、を備え、
前記第１撮像装置及び前記第２撮像装置の各々は、
撮像装置本体の回路と接続し、前記ケーブルを介して他装置の同期信号が入力される第１入力回路と、
前記撮像装置本体の回路と接続し、前記ケーブルを介して自装置の同期信号を出力する第１出力回路と、
前記撮像装置本体の回路と接続し、前記ケーブルを介して他装置のタイムコード信号が入力される第２入力回路と、
前記撮像装置本体の回路と接続し、前記ケーブルを介して自装置のタイムコード信号を出力する第２出力回路と、
前記ケーブルの前記同期信号を伝送する第１導線の端部と接続し、自装置の設定に応じて前記第１導線の接続先として前記第１入力回路と前記第１出力回路を切り替える第１切替部と、
前記ケーブルの前記タイムコード信号を伝送する第２導線の端部と接続し、自装置の設定に応じて前記第２導線の接続先として前記第２入力回路と前記第２出力回路を切り替える第２切替部と、
操作入力信号に基づいて自装置をメイン又はサブに設定し、自装置に前記ケーブルが接続されたことを検出すると、該設定に応じて前記第１切替部と前記第２切替部に対し切り替えを指示する制御部と、を有する
動画像撮影システム。
【請求項２】
前記制御部は、自装置をメインに設定したときは前記第１切替部と前記第２切替部に対し、前記第１出力回路と前記第２出力回路に切り替えるよう指示し、自装置をサブに設定したときは前記第１切替部と前記第２切替部に対し、前記第１入力回路及び前記第２入力回路に切り替えるよう指示する
請求項１に記載の動画像撮影システム。
【請求項３】
前記制御部は、自装置をメインに設定した場合には、自装置の前記第１切替部と前記第２切替部の切り替えが完了した後、他装置に対し前記第１切替部と前記第２切替部の切り替えを指示する
請求項２に記載の動画像撮影システム。
【請求項４】
前記制御部は、前記第１切替部と前記第２切替部による切り替えが完了した後、前記同期信号を前記ケーブルの前記第１導線を通じてメインに設定された自装置から他装置へ送信し、前記タイムコード信号を前記ケーブルの前記第２導線を通じてメインに設定された自装置から他装置へ送信する
請求項２に記載の動画像撮影システム。
【請求項５】
前記制御部は、自装置がメインに設定された場合に、前記同期信号と前記タイムコード信号を他装置へ送信した後、撮影パラメータの送信を指示する前記操作入力信号を受信して自装置の撮影パラメータを他装置へ送信する
請求項４に記載の動画像撮影システム。
【請求項６】
前記第１撮像装置及び前記第２撮像装置はそれぞれ表示パネル、を備え、
前記第１撮像装置と前記第２撮像装置との間で前記同期信号と前記タイムコード信号を送受信して同期が完了した後、前記第１撮像装置及び前記第２撮像装置の前記制御部は、自装置をメインに設定した場合には自装置がメインであることを示す画面を自装置の前記表示パネルに表示し、また自装置をサブに設定した場合には自装置がサブであることを示す画面を前記表示パネルに表示する
請求項４に記載の動画像撮影システム。
【請求項７】
前記ケーブルの前記第１導線と前記第２導線は、同軸線の芯線である
請求項１乃至６のいずれかに記載の動画像撮影システム。
【請求項８】
前記第１撮像装置及び前記第２撮像装置で連続的に撮像されたフレームにより立体映像が生成される
請求項１乃至７のいずれかに記載の動画像撮影システム。
【請求項９】
動画像撮影システムを構成する、１本のケーブルで接続された第１撮像装置と第２撮像装置の各々が備える制御部が、操作入力信号に基づいて自装置をメイン又はサブに設定すること、
前記制御部が、自装置に前記ケーブルが接続されたことを検出すること、
前記制御部が、自装置をメイン又はサブに設定し、自装置に前記ケーブルが接続されたことを検出すると、前記設定に応じて、撮像装置本体の回路と接続する、前記ケーブルを介して他装置の同期信号が入力される第１入力回路と、前記撮像装置本体の回路と接続し、前記ケーブルを介して自装置の同期信号を出力する第１出力回路を切り替えるよう、前記ケーブルの前記同期信号を伝送する第１導線の端部と接続する第１切替部に指示すること、
前記制御部が前記設定に応じて、前記撮像装置本体の回路と接続する、前記ケーブルを介して他装置のタイムコード信号が入力される第２入力回路と、前記撮像装置本体の回路と接続し、前記ケーブルを介して自装置の前記タイムコード信号を出力する第２出力回路を切り替えるよう、前記ケーブルの前記タイムコード信号を伝送する第２導線の端部と接続する第２切替部に指示すること、
前記第１切替部が、前記制御部からの指示に基づいて前記第１入力回路と前記第１出力回路を切り替えること、
前記第２切替部が、前記制御部からの指示に基づいて前記第２入力回路と前記第２出力回路を切り替えること、
を含む同期制御方法。
【発明の詳細な説明】
【技術分野】
【０００１】
本開示は、例えば、２台のカメラが撮像した映像から立体映像（３Ｄ映像）を生成する場合に適用して好適な動画像撮影システム及び同期制御方法に関する。
【背景技術】
【０００２】
従来、ユーザの左右の眼の視差に合わせて設置される２台のカメラが撮像した同一の被写体の映像を用いて、ユーザが立体視することができる立体映像（３Ｄ映像）を生成する技術がある。
【０００３】
立体映像撮像システムの一例として、リグ（ＲＩＧ）と呼ばれる架台に搭載したハーフミラーを通して反射光と透過光をそれぞれ左右のカメラで撮影するものがある。リグを使用した立体映像の撮影では、左右のカメラの映像に差が出ないように、使用する２台のカメラの設定や同期を合わせる必要がある。
【０００４】
従来の技術では、２台のカメラを、該２台のカメラの同期を合わせるためのゲンロック信号（同期信号）を伝送するケーブルで繋いでいた。２台のカメラは、映像信号の処理フレームをゲンロック信号に基づいて同期する（「ゲンロック」するとも呼ばれる。）。また、２台のカメラのタイムコードを合わせるためのタイムコード信号を伝送するケーブルで２台のカメラを繋いでいた。タイムコードは、動画編集等に用いられ、一般には撮影開始からの時間（時、分、フレーム数）の情報である。ゲンロック信号用のケーブル及びタイムコード信号用のケーブルはともに、入力用と出力用に２本の信号線を有していた。
【０００５】
他の技術として、図１２に示すように、カメラ１０１とゲンロック信号発生器１０３をケーブル１０４Ａで繋ぎ、カメラ１０２とゲンロック信号発生器１０３をケーブル１０４Ｂで繋ぎ、カメラ１０１とカメラ１０２をタイムコード信号用のケーブル１０５で繋いでいた。そして、ゲンロック信号発生器１０３で発生したゲンロック信号（Genlock in）をカメラ１０１，１０２の各々に入力することにより、２台のカメラを同期させていた。またタイムコード信号の入力及び出力（TC in、TC out）は、ケーブル１０５を通じて送受信していた。
【０００６】
また、２台のカメラのカメラ設定値（撮影パラメータ）を合わせるために、一方のカメラの設定値を含む設定ファイルをメモリカードに記憶させた後、他方のカメラで当該メモリカードから設定ファイルを呼び出すことで２台のカメラの設定を合わせていた。あるいは、撮影者がメニューや遠隔操作装置（リモート・コントローラ、所謂リモコン）で２台のカメラの設定値を比較しながら設定を合わせる操作が必要であった。また、２台のカメラでほぼ同時に記録を開始するためには、カメラ本体やリモコンの録画ボタンを２台のカメラで同時に押すなどの操作が必要であった。
【０００７】
これらの不都合を解消するため、特許文献１において以下の技術が提案されている。
特許文献１に開示された技術は、他の撮像装置と通信手段を介して接続し、撮影者が第１の操作スイッチを操作（レリーズボタンの半押し操作）したときに、自装置に設定されている撮影パラメータ値を他の撮像装置に転送することで、自動的に共通の撮影パラメータ値を他の撮像装置にも設定するというものである。さらに、特許文献１には、撮影者が第２の操作スイッチを操作（レリーズボタンの全押し操作）したときに、他の撮像装置に撮影命令を送信し、それぞれの撮像装置間で同一のタイミングで撮影する技術が開示されている。この技術により、自カメラの撮影動作とほぼ同時に、接続先のカメラ撮影動作を自動的に行うことが可能となる。
【先行技術文献】
【特許文献】
【０００８】
【特許文献１】特開２００７−７２２１０号公報
【発明の概要】
【発明が解決しようとする課題】
【０００９】
しかしながら、従来の技術では、２台のカメラを接続するケーブルが多く、撮影機材が大掛かりになってしまう。また、２台のカメラの設定値を合わせるためのメモリカードの抜き差しや、メニュー画面で設定値のStore（記憶）/Recall（読み出し）操作が必要で、さらに実際に設定値が同じかどうかの確認など手間と時間がかかっていた。なお、特許文献１に記載の撮影方法は、レリーズボタンの半押し操作したときに、自装置に設定されている撮影パラメータ値を他の撮像装置に転送するので、撮影の直前に撮影パラメータ値を他装置に設定し、また撮影時に自装置と他装置が常に同じ撮影パラメータ値に設定される。
【００１０】
本開示は、上記の状況を考慮してなされたものであり、立体映像等の動画像の撮影における２台のカメラの撮影準備の省力化を図るものである。
【課題を解決するための手段】
【００１１】
本開示の一側面の動画像撮影システムは、第１撮像装置と、第２撮像装置と、第１撮像装置と第２撮像装置を接続し、第１撮像装置で連続的に撮像されるフレームと第２撮像装置で連続的に撮像されるフレームを同期するための同期信号と、タイムコードを合わせるためのタイムコード信号と、撮影パラメータを含むデータ信号と、を少なくとも含む複数種類の信号を伝送する１本のケーブルを備える。
【００１２】
上記動画像撮影システムの一例として、以下の構成をとる。
第１撮像装置及び第２撮像装置の各々は、撮像装置本体の回路と接続し、ケーブルを介して他装置の同期信号が入力される第１入力回路と、撮像装置本体の回路と接続し、ケーブルを介して自装置の同期信号を出力する第１出力回路と、撮像装置本体の回路と接続し、ケーブルを介して他装置のタイムコード信号が入力される第２入力回路と、撮像装置本体の回路と接続し、ケーブルを介して自装置のタイムコード信号を出力する第２出力回路と、を有する。
また、ケーブルの同期信号を伝送する第１導線と接続し、自装置の設定に応じて第１入力回路と第１出力回路を切り替える第１切替部と、ケーブルのタイムコード信号を伝送する第２導線と接続し、自装置の設定に応じて第２入力回路と第２出力回路を切り替える第２切替部とを有する。さらに、操作入力信号に基づいて自装置をメイン又はサブに設定し、該設定に応じて第１切替部と第２切替部に切り替えを指示する制御部とを有する。
【００１３】
上述した本開示の一側面の構成によれば、１本のケーブルで接続された２台の撮像装置のメイン／サブを設定し、その設定に応じて各々の撮像装置に設けた入力回路と出力回路が切り替えられる。ゆえに、２台の撮像装置のメイン／サブの設定がいずれであっても、２台の撮像装置を動画像撮影システムとして機能させることができる。それにより同期信号を伝送する第１導線とタイムコード信号を伝送する第２導線を、１本の専用ケーブル内にそれぞれ一つずつ用意するだけでよい。
【００１４】
本開示の一側面の同期制御方法では、動画像撮影システムを構成する、１本のケーブルで接続された第１撮像装置と第２撮像装置の各々において、制御部が操作入力信号に基づいて自装置をメイン又はサブに設定する。
次に、制御部が設定に応じて、撮像装置本体の回路と接続し、ケーブルを介して他装置の同期信号が入力される第１入力回路と、撮像装置本体の回路と接続し、ケーブルを介して自装置の同期信号を出力する第１出力回路を切り替えるよう、ケーブルの同期信号を伝送する第１導線と接続する第１切替部に指示する。
また、制御部が設定に応じて、撮像装置本体の回路と接続し、ケーブルを介して他装置のタイムコード信号が入力される第２入力回路と、撮像装置本体の回路と接続し、ケーブルを介して自装置のタイムコード信号を出力する第２出力回路を切り替えるよう、ケーブルのタイムコード信号を伝送する第２導線と接続する第２切替部に指示する。
そして、第１切替部が、制御部からの指示に基づいて第１入力回路と第１出力回路を切り替え、第２切替部が、制御部からの指示に基づいて第２入力回路と第２出力回路を切り替える。
【００１５】
上述した本開示の一側面の方法によれば、１本のケーブルで接続された２台の撮像装置のメイン／サブを設定し、その設定に応じて各々の撮像装置に設けた入力回路と出力回路が切り替えられる。ゆえに、２台の撮像装置のメイン／サブの設定がいずれであっても、２台の撮像装置を動画像撮影システムとして機能させることができる。
【発明の効果】
【００１６】
本開示によれば、立体映像の撮影における２台の撮像装置の撮影準備の省力化を図ることができる。
【図面の簡単な説明】
【００１７】
【図１】本開示の一実施の形態における、立体映像撮像システムの外部構成例を示すブロック図である。
【図２】本開示の一実施の形態における、専用ケーブルの構成を示した概略図である。
【図３】本開示の一実施の形態における、撮像装置内の入力回路と出力回路の内部構成例を示した説明図である。
【図４】本開示の一実施の形態における、撮像装置内の入力回路と出力回路を示した説明図である。
【図５】本開示の一実施の形態における、立体映像撮像システムの内部構成例を示すブロック図である。
【図６】本開示の一実施の形態における、メイン制御部の内部構成例を示すブロック図である。
【図７】本開示の一実施の形態における、専用ケーブルで接続された２台の撮像装置の撮影準備完了までの処理例を示すフローチャートである。
【図８】本開示の一実施の形態における、ビューファインダのメニュー画面の遷移例を示す説明図である。
【図９】本開示の一実施の形態における、メイン側の撮像装置のビューファインダの表示例を示す説明図である。
【図１０】本開示の一実施の形態における、サブ側の撮像装置のビューファインダの表示例を示す説明図である。
【図１１】本開示の一実施の形態における、設定値を反映中のビューファインダの表示例（メイン側）を示す説明図である。
【図１２】従来技術における２台の撮像装置の接続方法の一例を示す説明図である。
【発明を実施するための形態】
【００１８】
以下、本開示を実施するための形態の例（以下、「実施形態例」ともいう）について、添付図面を参照しながら説明する。説明は下記の順序で行う。なお、各図において共通の構成要素には、同一の符号を付して重複する説明を省略する。
１．一実施の形態（１本の専用ケーブルで２台の撮像装置を接続する例）
２．その他（メインからサブへのカメラ設定値の反映例、記録開始及び再生停止の例）
【００１９】
＜１．一実施の形態＞
［立体映像撮像システムの外部構成］
本実施の形態では、２台の撮像装置（カメラ）を１本の専用ケーブルで接続して立体映像を撮像する立体映像撮像システム１０に適用した例（以下、「本例」という。）について説明する。
【００２０】
図１は、本開示の一実施の形態における、立体映像撮像システムの外部構成例を示すブロック図である。
立体映像撮像システム１０は、１秒間に同一のフレーム数で同一の画サイズの２次元映像を撮像する撮像装置として、リグ４に設置した第１の撮像装置１及び第２の撮像装置２を備える。被写体からの入射光はハーフミラー５を通して透過光と反射光に分離され、撮像装置１及び撮像装置２のそれぞれの光学系６に入射する。撮像装置１及び撮像装置２は、共通する端子を備え、本願出願人が開発した一本の専用ケーブル３で接続されている。撮像装置１及び撮像装置２は、互いに映像の記録又は再生等の処理をフレーム単位で同期する制御を行うためのゲンロック信号（同期信号）、動画編集等に用いられるタイムコード信号などを送受信できる。
【００２１】
また、撮像装置１及び第２の撮像装置２は、撮影者がそれぞれ操作入力により各部に動作を指示する操作部を備える。図１では、操作部の一例として、アサイナブルボタン７及び録画ボタン８を記載している。撮像装置１及び撮像装置２は、メモリカードを装着するためのスロット９を備える。
【００２２】
［専用ケーブルの構成］
次に、図２〜図４及び表１を参照して、本開示の一実施の形態における、専用ケーブル３の構成について説明する。
図２は、専用ケーブル３の構成を示した概略図である。図３は、撮像装置内の入力回路と出力回路の内部構成例を示した説明図である。図４は、撮像装置内の入力回路と出力回路を示した説明図である。
【００２３】
図２に示すように、専用ケーブル３は、筒状の保護被覆３ａ（図４参照）内に、ゲンロック信号用の同軸線１２とタイムコード信号用の同軸線１３、データ信号用の４つの導線１４〜１７を有している。同軸線１２，１３の特性インピーダンスは、一例として７５Ω又は５０Ωとする。専用ケーブル３の両端には、オス型のコネクタ１１Ａ，１１Ｂが設けられている。コネクタ１１Ａ，１１Ｂは同一の構成であり、それぞれに８個の端子（ピン）を有している。２つのコネクタ１１Ａ，１１Ｂの対応する端子間は、これらの信号線により導通している。
【００２４】
表１に、専用ケーブル３のコネクタ１１Ａ，１１Ｂの端子に入出力する信号名称を示す。
【表１】
0005970748.tif 000002
【００２５】
表１に示すように、本例では、専用ケーブル３のコネクタ１１Ａ，１１Ｂの第１ピンがゲンロック信号の基準電位（Genlock（GND））に、第２ピンがゲンロック信号（Genlock）に、第３ピンがタイムコード信号の基準電位（TC（GND））に、第４ピンがタイムコード信号（TC）に、第５〜８ピンまでがデータ信号に割り当てられている。この例では、第５ピンを受信データ（RX）に、第６ピンを送信データ（TX）に、第７ピンをクロック信号（CLK）に、第８ピンをチップセレクト信号（CS）に割り当てている。
【００２６】
受信データ（RX）及び送信データ（TX）に含まれる情報は、撮像装置１又は撮像装置２の記録開始や記録停止などの入力操作信号やそれに基づく制御信号、カメラ設定値（撮影パラメータ）などである。クロック信号（CLK）は、撮像装置１又は撮像装置２内の複数のブロックが動作のタイミングを合わせるのに使用される信号である。チップセレクト信号（CS）は、撮像装置１又は撮像装置２におけるハードウェアモジュール（ＩＣ等）のうちいずれを有効にするかを表す信号である。チップセレクト信号がアクティブのとき該当ハードウェアモジュールの読み出しや書き込みが可能となる。
【００２７】
専用ケーブル３のコネクタ１１Ａ（オス）と撮像装置１のコネクタ２１（メス）を接続し、専用ケーブル３のコネクタ１１Ｂ（オス）と撮像装置２のコネクタ２１（メス）を接続することによって、撮像装置１と撮像装置２が物理的及び電気的に接続する。
【００２８】
［入力回路と出力回路の切り替え］
本開示の立体映像撮像システムは、２台の撮像装置１，２を１本の専用ケーブル３で接続し、１本のケーブルでゲンロック信号、タイムコード信号及びデータ信号を伝達し、カメラ設定、同期及び記録開始／停止等を行うことができる。以下、撮像装置において入力回路と出力回路を切り替えるための構成を説明する。
【００２９】
図３，図４に示すように、撮像装置１のコネクタ２１（メス）に専用ケーブル３のコネクタ１１Ａ（オス）を装着すると、コネクタ１１Ａの各端子（第１〜８ピン）と、対応する撮像装置１の各端子（第１〜８ピン）が物理的及び電気的に接続される。同様に、専用ケーブル３のコネクタ１１Ｂ（オス）を撮像装置２のコネクタ２１（メス）に装着すると、コネクタ１１Ｂの各端子（第１〜８ピン）と、対応する撮像装置２の各端子（第１〜８ピン）が物理的及び電気的に接続される。
【００３０】
撮像装置１と撮像装置２を１本の専用ケーブル３で接続しているので、撮像装置１と撮像装置２について入力側（メイン：主）と出力側（サブ：従）を設定する必要がある。図３に示した例では、撮像装置１が入力側、撮像装置２が出力側に設定されている。この２つの撮像装置１,２の設定は、撮影状況や撮影者の意図によって入力側と出力側が逆になることもある。以下、設定を切り替えるための撮像装置内部の構成を説明する。撮像装置１と撮像装置２は同様の構成であるので、ここでは撮像装置１について説明する。
【００３１】
図３に示すように、専用ケーブル３の同軸線１２の芯線（内部導体）がコネクタ２１の第２端子（第２ピン）に接続し、その外部導体は第１端子（第１ピン）と接続する。外部導体は基本的に零ボルト電位の基準となるものである。そのため第１端子は、コネクタ２１の外部金属部分を通して接続される撮像装置本体の電子回路ないし撮像装置筐体のグラウンド線に接続されている。またコネクタ２１の第２端子は、コネクタインタフェース２２（以下、「コネクタI／Ｆ」とも呼ぶ。）と接続している。なお、本例では、４つの導線１４〜１７を伝送するデータ信号のためのグラウンド線は、同軸線１２，１３の外部導体と共通とする。
【００３２】
コネクタI／Ｆ２２は、撮像装置本体の図示しない電子回路へ繋がる入力回路２３及び出力回路２４、さらに切替部２５を備えている。コネクタ２１の第５端子〜第８端子も撮像装置本体の電子回路に接続している。
【００３３】
入力回路２３は、一例として入力端が切替部２５と接続され出力端が撮像装置本体の電子回路に接続されたバッファアンプ（増幅回路）と、一端が切替部２５とバッファアンプとの間に接続され他端がグラウンド線に接続された抵抗器（終端抵抗器）から構成することができる。終端抵抗器には、インピーダンスマッチングをとるために同軸線のインピーダンスに合わせて、７５Ωもしくは５０Ωの抵抗値が用いられる。
【００３４】
出力回路２４は、一例として入力端が撮像装置本体の電子回路と接続されたバッファアンプ（増幅回路）と、一端がバッファアンプの出力端と接続し他端が切替部２５と接続した抵抗器（出力抵抗器）から構成することができる。出力抵抗器には、インピーダンスマッチングをとるために同軸線のインピーダンスに合わせて、７５Ωもしくは５０Ωの抵抗値が用いられる。
【００３５】
切替部２５は、メイン制御部３７からの指示に従い、入力回路２３又は出力回路２４との接続を切り替える。それにより、撮像装置を入力側（メイン）と出力側（サブ）で切り替えられる。
【００３６】
専用ケーブル３の同軸線１３の芯線（内部導体）と接続するコネクタ２１の第４端子（第４ピン）、及び外部導体と接続する第３端子（第３ピン）についても同様である。コネクタI／Ｆ２２は、撮像装置本体の電子回路へ繋がる入力回路２３及び出力回路２４、第４端子と接続する切替部２５を備え、切替部２５により入力回路２３又は出力回路２４との接続が切り替えられる。
【００３７】
なお、本例では、一つの切替部２５を用いて入力回路２３と出力回路２４を切り替える構成としたこれに限られない。例えば、入力回路２３と出力回路２４でバッファアンプ及び抵抗器を共用するとともに複数の切替部を設け、設定に応じて複数の切替部の接続を切り替えて、バッファアンプの向き及び抵抗器の機能（出力抵抗と終端抵抗）を切り替える構成としてもよい。
【００３８】
［立体映像撮像システムの内部構成］
次に、立体映像撮像システム１０の内部構成例について説明する。
図５は、本開示の一実施の形態における、立体映像撮像システム１０の内部構成例を示すブロック図である。専用ケーブル３で接続された撮像装置１と撮像装置２は同じ機能ブロックを有するので、ここでは撮像装置１の内部構成例について説明する。以下の説明では、入力側（メイン）に設定された撮像装置を「自機」、出力側（サブ）に設定された撮像装置を「他機」と呼ぶことがある。
【００３９】
撮像装置１は、イメージセンサと、そのイメージセンサから撮像信号を読み出す回路などからなる撮像部３１を備える。撮像部３１が備えるイメージセンサで、この撮像装置１に装着された光学系６のレンズを介して入射した像光を、電気的な撮像信号に変換する。撮像部３１での撮像タイミングや撮像周期、撮像動作は、撮像制御部３９により制御される。撮像制御部３９は、メモリ４０に記憶されているカメラ設定値（撮影パラメータ）やメイン制御部３７（制御部の一例）を介して入力される操作部３８からの指示内容に基づいて撮像が行われるよう、撮像部３１の制御を行う。操作部３８の操作などに基づいたカメラ設定値は、メモリ４０に保存される。
【００４０】
撮像部３１が出力した撮像信号は、信号処理部３２に入力される。信号処理部３２は、入力された撮像信号に対して各種信号処理を行い、映像信号として記録／再生処理部３４へ出力する。信号処理部３２にはメモリ３３が接続してあり、この信号処理部３２で信号処理を行うために映像信号のデータを一時記憶処理する。
【００４１】
記録／再生処理部３４は、信号処理部３２から入力された映像信号を出力用の所定のフォーマットのビデオ信号に変換し、記録時には大容量記憶装置４４へ出力し、再生時には表示制御部３５へ出力する。大容量記憶装置としては、ハードディスクや半導体メモリなどが用いられる。なお、記録／再生処理部３４において映像信号のフォーマット変換を行わずに、撮像部３１が出力した撮像信号（生データ）を、そのまま出力用のビデオ信号として表示制御部３５に出力してもよい。
【００４２】
本例では、記録／再生処理部３４で生成するクロマバースト信号付きビデオ信号（ＶＢＳ）のクロマバースト信号を同期の基準信号、すなわちゲンロック信号（Genlock）として利用する。なお、撮像装置１，２がメイン（入力側）に設定されたときに、当該撮像装置内にゲンロック信号（Genlock）を発生する回路（図示略）とタイムコード信号（TC）を発生する回路（図示略）を別途設けるようにしてもよい。
【００４３】
表示制御部３５では、供給されたビデオ信号から表示パネル３６の表示方式や解像度等に合わせて駆動信号を生成し、表示パネル３６へ供給する。ビューファインダである表示パネル３６は、供給された駆動信号に基づいて画面に映像を表示する。表示パネル３６としては、例えば液晶表示パネル等のＦＰＤ（Flat Panel Display）が用いられる。
【００４４】
操作部３８は、例えば、カメラ本体にある操作スイッチ（アサイナブルボタン７、録画ボタン８等）や不図示のリモートコントローラ、プッシュボタン、トグルスイッチ、タッチパネルディスプレイ等が用いられる。操作部３８からの入力操作信号は、図示しないインターフェース部を介してメイン制御部３７へ入力される。
【００４５】
メモリカード４３は、カメラ設定値のデータや撮影した映像データなどを記録するものである。カメラ設定値のデータが記録されたメモリカード４３をメモリカード・インタフェース（メモリカードＩ／Ｆ）４２に挿入すると、メイン制御部３７がそのカメラ設定値のデータをメモリ４０に保存する。
【００４６】
通信制御部４１は、自機（撮像装置１）と他機（撮像装置２）の通信の制御を行う。すなわち、自機のメイン制御部３７から出力されたゲンロック信号やタイムコード信号、データ信号を他機へ送信し、逆に他機からゲンロック信号やタイムコード信号、データ信号を受信し、メイン制御部３７へ入力する。以下の説明では、撮像装置１と撮像装置２との間で通信する際に、各撮像装置の通信制御部４１の記載を省略することがある。
【００４７】
また撮像装置１，２は、商用電源又はバッテリから受電する図示しない電源部を備え、各ブロックへ電力を供給している。各ブロックへの電力の供給及び停止は、一例として操作部３８の電源ボタン（図示略）を押下して行う。
【００４８】
［メイン制御部の内部構成例］
次に、メイン制御部３７の内部構成例について説明する。
図６は、本開示の一実施の形態における、メイン制御部３７の内部構成例を示すブロック図である。メイン制御部３７は、コマンド解析部５１、専用ケーブル検出部５２、ネゴシエーション部５３、入出力切替制御部５４、同期制御部５５を備えている。メイン制御部３７には、ＭＰＵ（Micro-Processing Unit）などの演算制御装置を用いることができる。
【００４９】
コマンド解析部５１は、操作部３８からの操作入力信号に含まれるコマンドを解析し、解析した結果を各ブロックに通知する。また、解析の結果に基づいてメモリ４０からカメラ設定値（撮影パラメータ）等のデータを読み出して撮像制御部３９に制御信号を出力したり、メモリ４０にデータを保存したりする。また、通信制御部４１との間でデータの送受信を行う。
【００５０】
専用ケーブル検出部５２は、専用ケーブル３のコネクタ１１Ａが撮像装置１のコネクタ２１に挿入された否かを検出し、その結果をネゴシエーション部５３に通知する。一例として、専用ケーブル３のコネクタ１１Ａの所定の端子間に抵抗器を接続しておき、専用ケーブル３を撮像装置１に接続した際、専用ケーブル検出部５２が当該抵抗器に応じた電流又は電圧の信号を検出したかどうかで接続の有無を確認することができる。あるいは、メインの撮像装置からサブの撮像装置へ予め決めておいた信号を送信し、これを受信できたかどうかで判断するようにしてもよい。
【００５１】
ネゴシエーション部５３は、自機（撮像装置１）と他機（撮像装置２）との間でネゴシエーション処理、すなわち通信を開始するに先立って双方の撮像装置の設定に関する情報の交換を行う。この設定に関する情報には、各撮像装置の通信設定情報に加えて各撮像装置のメインもしくはサブの設定情報も含まれる。ネゴシエーション部５３は、コマンド解析部５１から立体映像撮像モードが選択されたという通知を受信し、かつ専用ケーブル検出部５２から撮像装置１に専用ケーブル３が接続されたという通知を受信したときにネゴシエーション処理を実行する。ネゴシエーション処理により受信した他機の設定に関する情報は、メモリ４０に記憶される。
【００５２】
入出力切替制御部５４は、ネゴシエーション部５３からネゴシエーション終了の通知を受信した後、コネクタＩ／Ｆ２２（図３，図４参照）の入力回路２３と出力回路２４の切り替えを行うべく制御する。入出力切替制御部５４は、自機の入力回路２３と出力回路２４の切り替えを指示するとともに、他機に対しても入力回路２３と出力回路２４の切り替えを指示する。
【００５３】
同期制御部５５は、入出力切替制御部５４から入力回路２３と出力回路２４の切り替え終了の通知を受信した後、自機と他機の同期をとるべく制御を行う。本例では、同期制御部５５は、通信制御部４１を通じて他機とゲンロック信号及びタイムコード信号の送受信を行い、ゲンロックとタイムコードを同期する。
【００５４】
表示制御部３５は、コマンド解析部５１から入力される操作入力信号の解析結果や同期制御部５５からの入力に応じて駆動信号を生成し、表示パネル３６へ供給する。
【００５５】
以上が撮像装置１の内部構成であるが、撮像装置２についても同様な構成である。
【００５６】
［撮影準備完了までの処理例］
次に、図７のフローチャートを参照して、専用ケーブル３で接続された２台の撮像装置１，２による撮影準備完了までの処理例を説明する。
【００５７】
まず撮影者は、撮像装置１の電源ボタンを押下して、撮像装置１の電源をオンにする。この時点では、撮像装置１と撮像装置２のいずれがメイン（入力側）であり、サブ（出力側）であるか決まっていない。以下では、撮像装置１をメインの撮像装置に設定し、撮像装置２をサブの撮像装置に設定するという想定で説明を行う。
【００５８】
次に、撮影者は、撮像装置１のメニューから立体映像撮像モードを選択する（ステップＳ１）。そして、撮影者は、一例として撮像装置１をメイン（入力側）の撮像装置に設定する。撮像装置１のメイン制御部３７のコマンド解析部５１は、操作部３８からの入力操作信号を解析して撮像装置１がメインの撮像装置に設定されたと判断し、その設定内容をメモリ４０に保存する。
【００５９】
設定の際は、撮影者が操作部３８を操作して一例として図８に示すようなメニュー画面を表示パネル３６に表示して設定を行う。撮影者はまずメインメニューを画面に表示させ、撮影を行うメニュー項目である“カメラ”を選択して、メインメニューの右側にカメラメニューを表示させる。そのカメラメニューの中から立体映像撮像モードである“3D-Link Mode”を選択し、カメラメニューの右側に3D-Link Modeメニューを表示させる。撮影者は、複数のメニュー項目から“メイン”を選択することにより、撮像装置１をメイン（入力側）の撮像装置に設定する。
【００６０】
同様にして、撮影者は、撮像装置２の電源をオンにし、撮像装置２のメニューから立体映像撮像モードを選択する（ステップＳ２）とともに、撮像装置２をサブ（出力側）の撮像装置に設定する。
【００６１】
なお、２つの撮像装置１，２に対するメイン又はサブの設定を予め実行してメモリ４０に保存しておき、撮像装置１，２の電源がオンしたとき、各撮像装置がメモリ４０からその設定をメモリ４０から呼び出す構成としてもよい。
【００６２】
次に、撮影者が、撮像装置１のコネクタ２１に専用ケーブル３のコネクタ１１Ａを接続し、撮像装置２のコネクタ２１に専用ケーブル３のコネクタ１１Ｂを接続する。
撮像装置１では、メイン制御部３７（専用ケーブル検出部５２）が、専用ケーブル３のコネクタ１１Ａが撮像装置１のコネクタ２１に挿入されたことを検出する（ステップＳ３）。同様に、撮像装置２でも、メイン制御部３７（専用ケーブル検出部５２）が、専用ケーブル３のコネクタ１１Ｂが撮像装置２のコネクタ２１に挿入されたことを検出する（ステップＳ４）。なお、ステップＳ１，Ｓ２の立体映像撮像モードの選択処理と、ステップＳ３，Ｓ４の専用ケーブル３の接続処理は、順序が逆でもよい。
【００６３】
撮像装置１及び撮像装置２に専用ケーブル３が接続されたら、撮像装置１と撮像装置２との間でネゴシエーション処理を行う。
撮像装置１内のメイン制御部３７（ネゴシエーション部５３）は、撮像装置２に対して撮像装置の設定に関する情報を送信するよう要求する（ステップＳ５）。撮像装置２のメイン制御部３７（ネゴシエーション部５３）は、要求を受けて当該撮像装置２の設定に関する情報を撮像装置１へ返信する（ステップＳ６）。撮像装置１のメイン制御部３７（ネゴシエーション部５３）はこれを受信し、撮像装置２の設定に関する情報をメモリ４０に保存する（ステップＳ７）。
【００６４】
ネゴシエーション処理が終了後、撮像装置１のメイン制御部３７（入出力切替制御部５４）は、コネクタＩ／Ｆ２２の切替部２５（第１切替部）を出力回路２４側へ切り替える（ステップＳ８）。これにより、バッファアンプの向きと抵抗器（出力抵抗器）が切り替えられ、ゲンロック用とタイムコード用の回路が出力側へ切り替えられる。切り替え後、撮像装置１のメイン制御部３７（入出力切替制御部５４）は、撮像装置２に対しゲンロック用とタイムコード用の回路を入力側へ切り替えを指示するコマンドを送信する（ステップＳ９）。
【００６５】
撮像装置２のメイン制御部３７（入出力切替制御部５４）は、撮像装置１からゲンロック用とタイムコード用の回路を入力側へ切り替えを指示するコマンドを受信する（ステップＳ１０）。撮像装置２のメイン制御部３７（入出力切替制御部５４）は、コマンドを受信すると、コネクタＩ／Ｆ２２の切替部２５（第２切替部）を出力回路２４側へ切り替える（ステップＳ１１）。これにより、バッファアンプの向きと抵抗器（終端抵抗器）が切り替えられ、ゲンロック用とタイムコード用の回路が入力側へ切り替えられる。切り替え後、撮像装置２のメイン制御部３７（入出力切替制御部５４）は、撮像装置１に対しゲンロック用とタイムコード用の回路の入力側への切り替えが完了したことを示すコマンドを送信する（ステップＳ１２）。
【００６６】
撮像装置１のメイン制御部３７（入出力切替制御部５４）は、撮像装置２からゲンロック用とタイムコード用の回路の入力側への切り替えが完了したことを示すコマンドを受信する（ステップＳ１３）。
【００６７】
上記ステップＳ１〜Ｓ１３の処理では、撮像装置１と撮像装置２との間の通信は、専用ケーブル３の導線１４（受信信号（RX）用）と導線１５（送信信号（TX）用）を利用して行われる。
【００６８】
次に、撮像装置１のメイン制御部３７（同期制御部５５）は、専用ケーブル３の同軸線１２を通じてゲンロック信号を撮像装置２へ送信する。また、撮像装置１のメイン制御部３７（同期制御部５５）は、専用ケーブル３の同軸線１３を通じてタイムコード信号を撮像装置２へ送信する（ステップＳ１４）。
【００６９】
撮像装置２のメイン制御部３７（同期制御部５５）は、専用ケーブル３を介して撮像装置１からゲンロック信号とタイムコード信号を受信し同期する（ステップＳ１５）。そして、撮像装置２のメイン制御部３７（同期制御部５５）は、撮像装置１からゲンロック信号とタイムコード信号を受信して同期が完了すると、同期が完了したことを示すコマンドを、専用ケーブル３の導線１５を通じて撮像装置１へ送信する（ステップＳ１６）。
【００７０】
撮像装置１のメイン制御部３７（同期制御部５５）は、撮像装置２からゲンロック信号とタイムコード信号の同期が完了したことを示すコマンドを、専用ケーブル３の導線１５を通じて受信する（ステップＳ１７）。
【００７１】
撮像装置１のメイン制御部３７は、表示制御部３５に対し、撮像装置１がメイン（出力側）に設定されていることを示す画面を表示するよう指示する（ステップＳ１８）。この指示を受けて、表示制御部３５が表示パネル３６に駆動信号を出力し、ビューファインダに撮像装置１がメインであることを示す画面６１（図９参照）が表示される。また、立体映像として記録されるように撮影したとき、当該撮像装置１が左右のどちらになるかという状態も、同じくビューファインダ上に表示される。この例では、撮像装置１が左眼に対応するよう設定されているので、“3D-Main”とともに“Left”と表示されている。
【００７２】
撮像装置１の表示と並行して、撮像装置２のメイン制御部３７は、表示制御部３５に対し、撮像装置２がサブ（入力側）に設定されていることを示す画面を表示するよう指示する（ステップＳ１９）。この指示を受けて、表示制御部３５が表示パネル３６に駆動信号を出力し、ビューファインダに撮像装置２がサブであることを示す画面６２（図１０参照）が表示される。この例では、撮像装置２が右眼に対応するよう設定されているので、“3D-Sub”とともに“Right”と表示されている。
【００７３】
上述した各処理を経て、撮像装置１と撮像装置２が立体映像を撮像できる状態に遷移する。
【００７４】
以上説明したように、本開示の一実施の形態によれば、２台の撮像装置を専用ケーブルで接続し、２台の撮像装置でメイン／サブを設定した場合に各々の撮像装置の入出力I／Ｆに設けた入力回路と出力回路が切り替えられる構成を有する。ゆえに、２台の撮像装置のメイン／サブの設定がいずれであっても、２台の撮像装置を立体映像撮像システムとして機能させることができる。
この構成を有することにより、ゲンロック信号を伝送する導線（一例として同軸線）とタイムコード信号を伝送する導線（一例として同軸線）を、１本の専用ケーブル内にそれぞれ一つずつ用意するだけでよい。すなわち、２台の撮像装置に１本のケーブルをつなぐことで２台の撮像装置の同期とタイムコードを合わせることができる。
それゆえ、２台の撮像装置の同期、タイムコードを合わせるための複数の導線を１本のケーブルに集約し、ケーブルの数を減らすことができる。よって、立体映像撮像システムの２台の撮像装置に複数のケーブルを接続する必要がなくので、撮影準備の省力化が図られる。
【００７５】
＜２．その他＞
［メインの撮像装置からサブの撮像装置へのカメラ設定値の反映例］
２台の撮像装置１，２でゲンロック信号とタイムコード信号の同期が完了後、メインに設定された撮像装置１のアサイナブルボタン７（メイン撮像装置の設定データを送信する機能を割り当て済み）を押下すると、撮像装置１のカメラ設定値（撮影パラメータ）がサブである撮像装置２に送信され、メモリ４０に保存される。これにより、撮像装置１のカメラ設定値が撮像装置２に反映される。このときに送信されるカメラ設定の項目として、例えばシャッタータイミング、ガンマ補正、ホワイトバランス、ゲイン、マトリクスなどが挙げられる。カメラ設定値を反映中の状態は、一例として図１１に示すような画面６１Ａとしてビューファインダに表示される。
【００７６】
立体映像撮影のために２台の撮像装置の設定を合わせるための操作にかかる時間を大きく削減することができるので、撮影準備の省力化が図られる。
【００７７】
なお、本例では、撮影者がアサイナブルボタンを押下してメイン側からサブ側へカメラ設定値を送信するとしたが専用ボタンでもよいし、メニューから撮像装置１の設定データを送信する項目を選択して上記送信機能を実行してもよい。あるいは、２台の撮像装置１，２でゲンロック信号とタイムコード信号の同期が完了した後、メイン側からサブ側へカメラ設定値を自動的に送信してカメラ設定値を共有する構成としてもよい。
【００７８】
本例では、メインの撮像装置１のカメラ設定値をサブの撮像装置２へ反映する処理は、撮影者が上述したような設定データを送信する操作を実行したときのみを想定している。すなわち、メインの撮像装置１のカメラ設定値をサブの撮像装置２へ反映した後、ずっとメイン側とサブ側のカメラ設定値が連動（同期）するわけではなく、各撮影パラメータの設定値を撮像装置ごとに変えることができる。これは、例えば、光学系のレンズのガラスの色など、撮像装置によって若干の固体差があり、２台の撮像装置で少しだけ設定値を変えたい項目が存在するためである。このように、２台の撮像装置のカメラ設定値をまったく同じにするだけでなく、オフセットをつけることも可能であり、実際に使用する２台の撮像装置に合わせた撮影が行える。
【００７９】
［記録開始及び再生停止の例］
撮影者が、メインの撮像装置１の録画ボタン又はリモコンの録画ボタンを押して撮像装置１に録画を指示すると、撮像装置１のメイン制御部３７はサブの撮像装置２へ録画コマンドを送信する。撮像装置１と撮像装置２は既に同期がとれているので、撮像装置１が撮像装置２へ記録開始フレーム情報を指示することにより撮像装置１と撮像装置２で同時に記録（撮影）を開始することができる。同様に、メインの撮像装置１の操作部３８の停止ボタン又はリモコンの停止ボタンを押して、撮像装置１と撮像装置２で同時に記録を停止できる。また撮像装置１又は撮像装置２の記録メディア（例えばメモリカード４３）の空き容量が無くなった場合や記録メディアに異常が発生した場合なども、撮像装置１と撮像装置２で同時に記録を停止できる。
【００８０】
このように、本開示によれば、２台の撮像装置の記録開始と記録停止を１回の操作で確実に実行できる。
【００８１】
上述した実施の形態においては、撮像装置１をメインに設定し、撮像装置２をサブに設定したが、メインとサブを逆に設定してもよいことは勿論である。
【００８２】
また、上述した実施の形態では、ゲンロック信号及びタイムコード信号の伝送用に同軸線を用いる構成としたが（図３〜図５参照）、データ信号伝送用の導線と同じ構成としてもよい。
【００８３】
なお、本技術は以下のような構成もとることができる。
（１）
第１撮像装置と、
第２撮像装置と、
第１撮像装置と第２撮像装置を接続し、第１撮像装置と第２撮像装置の間で同期するための同期信号と、タイムコードを合わせるためのタイムコード信号と、及び少なくとも撮影パラメータを含むデータ信号と、を伝送する１本のケーブルを備える
立体映像撮像システム。
（２）
第１撮像装置及び第２撮像装置の各々は、
撮像装置本体の回路と接続し、前記ケーブルを介して他装置の同期信号が入力される第１入力回路と、
撮像装置本体の回路と接続し、前記ケーブルを介して自装置の同期信号を出力する第１出力回路と、
撮像装置本体の回路と接続し、前記ケーブルを介して他装置のタイムコード信号が入力される第２入力回路と、
撮像装置本体の回路と接続し、前記ケーブルを介して自装置のタイムコード信号を出力する第２出力回路と、
前記同期信号を伝送する第１導線と接続し、自装置の設定に応じて第１入力回路と第１出力回路を切り替える第１切替部と、
前記タイムコード信号を伝送する第２導線と接続し、自装置の設定に応じて第２入力回路と第２出力回路を切り替える第２切替部と、
操作入力信号に基づいて自装置をメイン又はサブに設定し、該設定に応じて第１切替部と第２切替部に切り替えを指示する制御部と、を有する
前記（１）に記載の立体映像撮像システム。
（３）
前記制御部は、自装置をメインに設定したときは第１切替部と第２切替部に対し、第１出力回路と第２出力回路に切り替えるよう指示し、自装置をサブに設定したときは第１切替部と第２切替部に対し、第１入力回路及び第２入力回路に切り替えるよう指示する
前記（２）に記載の立体映像撮像システム。
（４）
前記制御部は、第１切替部と第２切替部による切り替えが完了した後、前記同期信号を前記ケーブルの第１導線を通じて他装置へ送信し、前記タイムコード信号を前記ケーブルの第２導線を通じて他装置へ送信する
前記（３）に記載の立体映像撮像システム。
（５）
前記制御部は、自装置がメインに設定された場合に、前記同期信号と前記タイムコード信号を他装置へ送信した後、撮影パラメータの送信を指示する操作入力信号を受信して自装置の撮影パラメータを他装置へ送信する
前記（４）に記載の立体映像撮像システム。
（６）
前記制御部は、自装置がメイン又はサブのいずれかに設定されたこと、及び前記ケーブルが第１撮像装置と第２撮像装置に接続されたことを検出した場合に、第１切替部と第２切替部に切り替えを指示する
前記（３）乃至（５）のいずれかに記載の立体映像撮像システム。
（７）
前記ケーブルの前記第１導線と前記第２導線は、同軸線の芯線である
前記（２）乃至（６）のいずれかに記載の立体映像撮像システム。
（８）
立体映像撮像システムを構成する、１本のケーブルで接続された第１撮像装置と第２撮像装置の各々が、制御部が操作入力信号に基づいて自装置をメイン又はサブに設定すること、
前記制御部が前記設定に応じて、撮像装置本体の回路と接続し、前記ケーブルを介して他装置の同期信号が入力される第１入力回路と、撮像装置本体の回路と接続し、前記ケーブルを介して自装置の同期信号を出力する第１出力回路を切り替えるよう、前記同期信号を伝送する第１導線と接続する第１切替部に指示すること、
前記制御部が前記設定に応じて、撮像装置本体の回路と接続し、前記ケーブルを介して他装置のタイムコード信号が入力される第２入力回路と、撮像装置本体の回路と接続し、前記ケーブルを介して自装置のタイムコード信号を出力する第２出力回路を切り替えるよう、前記タイムコード信号を伝送する第２導線と接続する第２切替部に指示すること、
第１切替部が、前記制御部からの指示に基づいて第１入力回路と第１出力回路を切り替えること、
第２切替部が、前記制御部からの指示に基づいて第２入力回路と第２出力回路を切り替えること、
を含む同期制御方法。
【００８４】
なお、上述した一実施の形態例における一連の処理は、ハードウェアにより実行することができるが、ソフトウェアにより実行させることもできる。一連の処理をソフトウェアにより実行させる場合には、そのソフトウェアを構成するプログラムが専用のハードウェアに組み込まれているコンピュータ（またはＣＰＵ等の制御装置）、または、各種の機能を実行するためのプログラムをインストールしたコンピュータにより、実行可能である。例えば汎用のパーソナルコンピュータなどに所望のソフトウェアを構成するプログラムをインストールして実行させればよい。
【００８５】
また、上述した実施の形態の機能を実現するソフトウェアのプログラムコードを記録した記録媒体を、システムあるいは装置に供給してもよい。また、そのシステムあるいは装置のコンピュータが記録媒体に格納されたプログラムコードを読み出し実行することによっても、機能が実現されることは言うまでもない。
【００８６】
この場合のプログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００８７】
また、コンピュータが読み出したプログラムコードを実行することにより、上述した実施の形態の機能が実現される。加えて、そのプログラムコードの指示に基づき、コンピュータ上で稼動しているＯＳなどが実際の処理の一部又は全部を行う。その処理によって上述した実施の形態の機能が実現される場合も含まれる。
【００８８】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【００８９】
以上、本開示は上述した各実施の形態に限定されるものではなく、特許請求の範囲に記載された要旨を逸脱しない限りにおいて、その他種々の変形例、応用例を取り得ることは勿論である。
【符号の説明】
【００９０】
１，２…撮像装置、３…専用ケーブル、７…アサイナブルボタン、８…録画ボタン、１０…立体映像撮影システム、１１Ａ，１１Ｂ…コネクタ（オス）、１２，１３…同軸線、１４〜１７…導線、２１…コネクタ（メス）、２２…入出力Ｉ／Ｆ、２３…入力回路、２４…出力回路、２５…切替部、３１…撮像部、３２…信号処理部、３３…メモリ、３４…記録／再生処理部、３５…表示制御部、３６…表示パネル（ビューファインダ）、３７…メイン制御部、３８…操作部、３９…撮像制御部、４０…メモリ、４１…通信制御部、５１…コマンド解析部、５２…専用ケーブル検出部、５３…ネゴシエーション部、５４…入出力切替制御部、５５…同期制御部
【図１】
0005970748.tif 000003
【図２】
0005970748.tif 000004
【図３】
0005970748.tif 000005
【図４】
0005970748.tif 000006
【図５】
0005970748.tif 000007
【図６】
0005970748.tif 000008
【図７】
0005970748.tif 000009
【図８】
0005970748.tif 000010
【図９】
0005970748.tif 000011
【図１０】
0005970748.tif 000012
【図１１】
0005970748.tif 000013
【図１２】
0005970748.tif 000014